【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
分析システムのためのミクロ液体ディスペンサであって、
ミクロ液体試料を目標容器へ移送する少なくとも１つの移送ピンを含んでなり、前記少なくとも１つの移送ピンの一端のピン先端は前記目標容器の開口と協働し毛管作用を使用して前記試料を前記少なくとも１つの移送ピンから前記目標容器へ移送するミクロ液体ディスペンサ。
【請求項２】
請求項１のミクロ液体ディスペンサであって、前記目標容器はウェルのプラテンアレイ内の貫通孔であるミクロ液体ディスペンサ。
【請求項３】
請求項１のミクロ液体ディスペンサであって、前記目標容器はウェルのプラテンアレイ内の端部閉鎖ウェルであるミクロ液体ディスペンサ。
【請求項４】
請求項１のミクロ液体ディスペンサであって、前記目標容器は試料を引きつける親水性の壁領域を含むミクロ液体ディスペンサ。
【請求項５】
請求項１のミクロ液体ディスペンサであって、疎水性材料によって囲まれる親水性領域を有する開口を含むミクロ液体ディスペンサ。
【請求項６】
請求項１のミクロ液体ディスペンサであって、複数の試料を対応する複数の目標容器に移送する移送ピンアレイをさらに含むミクロ液体ディスペンサ。
【請求項７】
請求項６のミクロ液体ディスペンサであって、前記アレイの個々の移送ピンは順次作動可能であるミクロ液体ディスペンサ。
【請求項８】
請求項６のミクロ液体ディスペンサであって、前記アレイの少なくとも１つの移送ピンは目標容器の前記開口に整合するように個々に配置可能であるミクロ液体ディスペンサ。
【請求項９】
請求項６のミクロ液体ディスペンサであって、前記アレイの少なくとも１つの移送ピンは浮動重力供給式のものであるミクロ液体ディスペンサ。
【請求項１０】
請求項１のミクロ液体ディスペンサであって、前記ミクロ液体試料は０.２乃至１００マイクロリットルであるミクロ液体ディスペンサ。
【請求項１１】
請求項１のミクロ液体ディスペンサであって、前記移送ピンは前記目標容器の前記開口よりも大きな直径を有するミクロ液体ディスペンサ。
【請求項１２】
請求項１のミクロ液体ディスペンサであって、前記試料は極性液体であるミクロ液体ディスペンサ。
【請求項１３】
請求項１２のミクロ液体ディスペンサであって、前記極性液体は水溶液、ＤＭＳＯ溶液、ジメチルホルムアミド（ＤＭＦ）溶液又はアセトニトレル溶液であるミクロ液体ディスペンサ。
【請求項１４】
請求項１のミクロ液体ディスペンサであって、前記移送ピンと、前記目標容器の少なくとも一方を振動させて前記毛管作用を促進するミクロ液体ディスペンサ。
【請求項１５】
請求項１のミクロ液体ディスペンサであって、前記少なくとも１つの移送ピンは補給無しに複数の試料を分配できるミクロ液体ディスペンサ。
【請求項１６】
請求項１のミクロ液体ディスペンサであって、前記ピン先端はスロット付きの端部を有するミクロ液体ディスペンサ。
【請求項１７】
請求項１５のミクロ液体ディスペンサであって、前記スロットはＸ形であるミクロ液体ディスペンサ。
【請求項１８】
請求項１のミクロ液体ディスペンサであって、前記ピン先端は該ピン先端における試料の表面積を増加させる１つ以上の構造的形状を有するミクロ液体ディスペンサ。
【請求項１９】
請求項１８のミクロ液体ディスペンサであって、前記構造的形状は、スロット、溝、及び螺旋の群のうちの少なくとも１つの形状を含むミクロ液体ディスペンサ。
【請求項２０】
請求項１のミクロ液体ディスペンサであって、前記目標容器は、前記試料が移送される前は実質的に空であるミクロ液体ディスペンサ。
【請求項２１】
ミクロ液体試料を分配する試料分配方法であって、
ミクロ液体試料を目標容器に移送する少なくとも１つの移送ピンであって、前記目標容器の開口と協働するピン先端を一端に備える移送ピンを提供し、
前記目標容器と前記ピン先端の間に毛管作用を使用して前記試料を前記少なくとも１つの移送ピンから前記目標容器へ移送する、
ことを含んでなる試料分配方法。
【請求項２２】
請求項２１の試料分配方法であって、前記目標容器はウェルプラテンアレイの貫通孔である試料分配方法。
【請求項２３】
請求項２１の試料分配方法であって、前記目標容器はウェルプラテンアレイの端部閉鎖ウェルである試料分配方法。
【請求項２４】
請求項２１の試料分配方法であって、前記目標容器は、前記試料を引きつける親水性の壁を含む試料分配方法。
【請求項２５】
請求項２１の試料分配方法であって、前記目標容器は疎水性材料によって囲まれた開口を含む試料分配方法。
【請求項２６】
請求項２１の試料分配方法であって、複数の試料を対応する複数の複数の目標容器に移送する複数の移送ピンを含む移送ピンアレイを提供することを更に含む試料分配方法。
【請求項２７】
請求項２６の試料分配方法であって、前記アレイ内の個々の移送ピンを順に作動可能とした試料分配方法。
【請求項２８】
請求項２６の試料分配方法であって、前記アレイ内の少なくとも１つの移送ピンを目標容器の前記開口に関して整合させるために個々に配置可能とした試料分配方法。
【請求項２９】
請求項２６の試料分配方法であって、前記アレイ内の少なくとも１つの移送ピンを浮動重力供給式とした試料分配方法。
【請求項３０】
請求項２１の試料分配方法であって、前記ミクロ液体試料を０.２乃至１００ナノリットルとした試料分配方法。
【請求項３１】
請求項２１の試料分配方法であって、前記移送ピンを前記目標容器の前記開口よりも大きな直径を有するように設けた試料分配方法。
【請求項３２】
請求項２１の試料分配方法であって、前記試料は極性液体である試料分配方法。
【請求項３３】
請求項３２の試料分配方法であって、前記極性液体は水溶液、ＤＭＳＯ溶液、ジメチルホルムアミド（ＤＭＦ）溶液又はアセトニトレル溶液である試料分配方法。
【請求項３４】
請求項２１の試料分配方法であって、前記目標容器に蒸発制御措置を与えるステップをさらに含む試料分配方法。
【請求項３５】
請求項３４の試料分配方法であって、前記蒸発制御措置を与えるステップは前記目標容器を非混和性液中に浸すことを含む試料分配方法。
【請求項３６】
請求項３５の試料分配方法であって、非混和性液はパーフルオロ化炭化水素、炭化水素、又はシリコン系流体である試料分配方法。
【請求項３７】
請求項３４の試料分配方法であって、前記蒸発制御措置を与えるステップは湿度制御、流体圧、容器冷却のうちの少なくとも１つを使用する試料分配方法。
【請求項３８】
請求項３４の試料分配方法であって、前記蒸発制御措置を与えるステップは前記移送ピンを前記目標容器に直接接触させるように配置することを含む試料分配方法。
【請求項３９】
請求項３４の試料分配方法であって、前記蒸発制御措置を与えるステップは前記移送ピンを前記目標容器に直接接触させることなくその近くに配置することを含む試料分配方法。
【請求項４０】
請求項２１の試料分配方法であって、試料を層状に配設するために複数の試料を前記目標容器に順次移送することを含む試料分配方法。
【請求項４１】
請求項２１の試料分配方法であって、前記少なくとも１つの移送ピンは補給無しで複数の試料を分配する試料分配方法。
【請求項４２】
請求項２１の試料分配方法であって、前記移送ピンと前記目標容器の少なくとも一方を振動させることによって前記毛管作用を促進させる試料分配方法。
【請求項４３】
請求項２１の試料分配方法であって、前記移送ピンはスロット付き端部を有する試料分配方法。
【請求項４４】
請求項４４の試料分配方法であって、前記スロット付き端部はX形である試料分配方法。
【請求項４５】
請求項２１の試料分配方法であって、前記移送ピンは、前記ピン先端において試料の表面積を増加させる１つ以上の構造的形状を有する試料分配方法。
【請求項４６】
請求項４５の試料分配方法であって、前記構造的形状はスロット、溝及び螺旋の群のうちの１つ以上を含む試料分配方法。
【請求項４７】
請求項２１の試料分配方法であって、前記目標容器は前記試料を移送する前は実質的に空である試料分配方法。
【請求項４８】
ミクロ液体分析システムであって、
複数の格納容器を含む少なくとも１つの液体試料格納装置と；
毛管作用を利用してミクロ液体試料を目標格納容器に移送する少なくとも１つの移送ピンを有するミクロ液体ディスペンサであって、前記移送ピンの一端は前記目標容器の開口と協働するように構成されたピン先端を有するミクロ液体ディスペンサと、
前記移送ピンが前記目標容器と協働して前記試料を移送できるように前記液体ディスペンサを配置させるディスペンサ配置モジュールとを、
含んでなるミクロ液体分析システム。
【請求項４９】
請求項４８のミクロ液体分析システムであって、前記格納装置は複数の貫通ウェルのプラテンアレイであるミクロ液体析分析システム。
【請求項５０】
請求項４８のミクロ液体分析システムであって、前記格納装置は複数の閉端ウェルのプラテンアレイであるミクロ液体分析システム。
【請求項５１】
請求項４８のミクロ液体分析システムであって、前記目標格納装置は前記試料を引き付ける親水性の壁を含むミクロ液体分析システム。
【請求項５２】
請求項４８のミクロ液体分析システムであって、前記目標格納装置は疎水性材料によって囲まれた開口を含むミクロ液体分析システム。
【請求項５３】
請求項４８のミクロ液体分析システムであって、前記目標格納装置は、複数の試料を対応する複数の目標格納装置に移送する複数の移送ピンを含む移送ピンアレイを含む液体ディスペンサミクロ液体分析システム。
【請求項５４】
請求項４８のミクロ液体分析システムであって、前記移送ピンアレイの個々の移送ピンは順次作動可能であるミクロ液体分析システム。
【請求項５５】
請求項４８のミクロ液体分析システムであって、前記移送ピンアレイの少なくとも１つの移送ピンは、１つの前記目標格納装置の前記開口に整合するために独立して位置決め可能であるミクロ液体分析システム。
【請求項５６】
請求項４８のミクロ液体分析システムであって、前記移送ピンアレイの少なくとも１つの移送ピンは浮動重力供給式のものであるミクロ液体分析システム。
【請求項５７】
請求項４８のミクロ液体分析システムであって、前記ミクロ液体試料は０.２乃至１００ナノリットルであるミクロ液体分析システム。
【請求項５８】
請求項４８のミクロ液体分析システムであって、前記移送ピンは前記目標格納装置の前記開口よりも大きい直径を有するミクロ液体分析システム。
【請求項５９】
請求項４８のミクロ液体分析システムであって、前記試料は極性液体であるミクロ液体分析システム。
【請求項６０】
請求項５９のミクロ液体分析システムであって、前記極性液体は水溶液、ＤＭＳＯ溶液、ジメチルホルムアミド（ＤＭＦ）溶液又はアセトニトレル溶液であるミクロ液体分析システム。
【請求項６１】
請求項４８のミクロ液体分析システムであって、前記電圧制御装置は前記格納容器から前記試料が蒸発するのを制御する制御措置を使用するミクロ液体分析システム。
【請求項６２】
請求項６１のミクロ液体分析システムであって、前記蒸発制御措置は前記格納容器を非混和液に浸すことを含むミクロ液体分析システム。
【請求項６３】
請求項６２のミクロ液体分析システムであって、前記非混和液はフルオロ化炭化水素、炭化水素又はシリコン系流体であるミクロ液体分析システム。
【請求項６４】
請求項６１のミクロ液体分析システムであって、前記蒸発制御措置は湿度制御、流体圧及び容器冷却のうちの少なくとも１つを含むミクロ液体分析システム。
【請求項６５】
請求項４８のミクロ液体分析システムであって、前記配置モジュールは、前記少なくとも１つの移送ピンが前記試料を移送するために、前記目標格納容器に直接接するように前記ディスペンサを配置するミクロ液体分析システム。
【請求項６６】
請求項４８のミクロ液体分析システムであって、前記配置モジュールは、前記少なくとも１つの移送ピンが前記試料を移送するために、前記目標格納容器に直接接することなく、その近くに前記ディスペンサを配置するミクロ液体分析システム。
【請求項６７】
請求項４８のミクロ液体分析システムであって、前記液体ディスペンサは、試料の層パターンを作るために、複数の試料を前記目標格納容器に順次移送するように作動するミクロ液体分析システム。
【請求項６８】
請求項４８のミクロ液体分析システムであって、前記少なくとも１つの移送ピンは補給無しで複数の試料を分配することができるミクロ液体分析システム。
【請求項６９】
請求項４８のミクロ液体分析システムであって、前記移送ピンと前記目標容器のうちの少なくとも一方を振動させることにより前記毛管作用を促進するミクロ液体分析システム。
【請求項７０】
請求項４８のミクロ液体分析システムであって、前記ピン先端はスロット付端部を有するミクロ液体分析システム。
【請求項７１】
請求項７０のミクロ液体分析システムであって、前記スロット付端部はＸ形であるミクロ液体分析システム。
【請求項７２】
請求項７０のミクロ液体分析システムであって、前記ピン先端は、該ピン先端において前記試料の表面積を増加させる少なくとも一つの構造的形状を有するミクロ液体分析システム。
【請求項７３】
請求項７２のミクロ液体分析システムであって、前記構造的形状は、スロット、溝、及び螺旋の群のうちの少なくとも１つの形状を含むミクロ液体分析システム。
【請求項７４】
請求項４８のミクロ液体分析システムであって、前記目標容器は前記試料を移送する前は実質的に空であるミクロ液体分析システム。